(57)【要約】【課題】  プレーヤーのゲーム体験を向上させ、より楽しめるようにする。【解決手段】  １セットの通常の遊戯用カードと、追加の特別なカードと、特別なカードがあるプレーヤーに配られたときにそのプレーヤーへの補足的支払いを決定する無作為選択装置とを備える、カードを基礎とする運のゲームを提供する。カードを基礎とする運のゲームへの賭け参加は、カードの通常のセットに特別なカードを加え、特別なカードが配られたプレーヤーに補足的支払いを決定する無作為選択装置の操作を許すことにより促進される。ゲームを行うための装置は、１セットの通常の遊戯用カードと、該セットに加えられる特別なカードと、特別なカードがあるプレーヤーに配られたときにそのプレーヤーへの補足的支払いを決定する無作為選択装置とを備える。【選択図】  図１
2008104882.tif 000002
【特許請求の範囲】
【請求項１】
１セットの通常の遊戯用カードと；
追加の特別なカードと；
特別なカードが配られたときに作動されて、少なくとも１人の参加プレーヤーに対する補足的な支払いを決定する無作為選択装置と；
を備えることを特徴とする、運のゲームを行うための装置。
【請求項２】
ゲームが行われるテーブルを更に備えることを特徴とする、請求項１に記載の装置。
【請求項３】
補足的な支払いは、一定量、ジャックポット、またはジャックポットの一部であることを特徴とする、請求項１に記載の装置。
【請求項４】
無作為選択装置を起動するための起動装置を更に備えることを特徴とする、請求項１に記載の装置。
【請求項５】
起動装置は持ち運び可能であることを特徴とする、請求項４に記載の装置。
【請求項６】
起動装置は無線で作動可能であることを特徴とする、請求項５に記載の装置。
【請求項７】
無作為選択装置は回転盤装置であることを特徴とする、請求項１に記載の装置。
【請求項８】
回転盤装置は現実のものまたは仮想的なものであることを特徴とする、請求項７に記載の装置。
【請求項９】
無作為選択装置は複数の段階において作動可能であることを特徴とする、請求項１に記載の装置。
【請求項１０】
無作為選択装置の作動は２段階あって、ある指定された可能性が第１段階で選択された場合に第２段階が作動可能となることを特徴とする、請求項１に記載の装置。
【請求項１１】
特別なカードを１セットの通常の遊戯用カードに加える工程と；
特別なカードが配られたときに無作為選択装置を作動させて、少なくとも１人の参加プレーヤーに対する補足的な支払いを決定する工程と；
を含むことを特徴とする、カードを基礎とする運のゲームにおいて賭け参加を促進する方法。
【請求項１２】
カードを配る工程を更に含む、請求項１１に記載の方法。
【請求項１３】
特別なカードが配られたときにカードゲームを中断する工程と、補足的な支払いが決定されてこれが支払われたときにカードゲームを再開する工程と、を更に含むことを特徴とする、請求項１２に記載の方法。
【請求項１４】
補足的な支払いは、一定量、ジャックポット、またはジャックポットの一部であることを特徴とする、請求項１１に記載の装置。
【請求項１５】
無作為選択装置は遠隔作動されることを特徴とする、請求項１１に記載の装置。
【請求項１６】
無作為選択装置は無線方式で作動されることを特徴とする、請求項１５に記載の装置。
【請求項１７】
無作為選択装置は２段階方式で作動されることを特徴とする、請求項１１に記載の装置。
【請求項１８】
１セットの通常の遊戯用カードと；
追加の特別なカードと；
特別なカードが配られたときに作動されて、少なくとも１人の参加プレーヤーに対する補足的な支払いを決定する無作為選択装置と；
を備えることを特徴とする、カードを基礎とする運のゲーム。
【請求項１９】
補足的な支払いは、一定量、ジャックポット、またはジャックポットの一部であることを特徴とする、請求項１８に記載のカードを基礎とする運のゲーム。
【請求項２０】
基本的なゲームを行うために分割された領域と；
少なくとも一人のプレーヤーが賭け物を置いて無作為選択装置に関連した補足的な運のゲームに参加できるようになっている、少なくとも一つの付加的な賭け領域と；
を含むことを特徴とする、請求項１９に記載のカードを基礎とする運のゲームのためのテーブルのレイアウト。
【請求項２１】
プレーヤーステーションのそれぞれについて少なくとも一つの付加的な賭け領域を有することを特徴とする、請求項１９に記載のテーブルのレイアウト。
【発明の詳細な説明】
【技術分野】
【０００１】
本発明は、カードゲームを基礎とする、現実または仮想のいずれであってもよいカジノ等の遊技場において行われる、運のゲームに関する。より具体的には、運のゲームを行うための装置、運のゲームにおいて賭け参加を促進する方法、運のゲーム、およびゲームが行われるテーブルのレイアウトに関する。
【発明の開示】
【発明が解決しようとする課題】
【０００２】
本発明の目的は、プレーヤーのゲーム体験を向上させることであり、その目的を達成するために、運のゲーム、そのゲームを行うための装置及びゲーム方法が提供される。
【課題を解決するための手段】
【０００３】
本発明によれば、１セットの通常の遊戯用カードと；該セットに加えられる特別なカードと；特別なカードが配られたときに作動されて、少なくとも１人の参加プレーヤーに対する補足的な支払いを決定する無作為選択装置と；を備えることを特徴とする、運のゲームを行うための装置が提供される。
【０００４】
該装置は、該カードゲームが行われるテーブルを備え、無作為選択装置は該テーブルと連動してもよい。
【０００５】
また、本発明によれば、特別なカードを１セットの通常の遊戯用カードに加える工程と；特別なカードが配られたときに無作為選択装置を作動させて、少なくとも１人の参加プレーヤーに対する補足的な支払いを決定する工程と；を含むことを特徴とする、カードを基礎とする運のゲームにおいて賭け参加を促進する方法が提供される。
【０００６】
更に、本発明によれば、１セットの通常の遊戯用カードと；追加の特別なカードと；特別なカードが配られたときに作動されて、少なくとも１人の参加プレーヤーに対する補足的な支払いを決定する無作為選択装置と；を備えることを特徴とする、カードを基礎とする運のゲームが提供される。
【０００７】
更にまた、本発明によれば、基本的なゲームを行うために分割された領域と；少なくとも一人のプレーヤーが賭け物を置いて無作為選択装置に関連した補足的な運のゲームに参加できるようになっている、少なくとも一つの付加的な賭け領域と；を含むことを特徴とする、上述したカードを基礎とする運のゲームのためのテーブルのレイアウトが提供される。
【０００８】
行われている基本的なカードゲームは、特別なカードが配られたときに中断され、補足的な支払いが決定されてこれが支払われたときに再開されることが理解されよう。
【０００９】
テーブルのレイアウトは、プレーヤーステーションのそれぞれについて少なくとも一つの付加的な賭け領域を有する。
【００１０】
カードの１セットは、複数組の遊戯用カードであってもよい。
【００１１】
基本的なゲームは、ブラックジャックであってもよい。
【００１２】
特別なカードの配布によって行われる、無作為選択装置に関連した補足的な運のゲームに参加したいとプレーヤーが望む場合、プレーヤーは参加のための賭け物を付加的な賭け領域に置くことが、当業者には理解されよう。参加のための賭け物は、一定量のものであってもよい。特別なカードを配られたプレーヤーまたは追随的参加のための賭け物をそのプレーヤーステーションに置いた他のプレーヤーのみが、補足的な運のゲームに参加できる。参加のための賭け物は、それぞれのカードの手が配られるのに先立って置かれ、その手の中に特別なカードが配られなかった場合にはその賭け物はその手が終わったときに没収される。同様に、特別なカードが特定のプレーヤーの特定の手の中に配られた場合には、他のプレーヤーステーションに置かれた賭け物は胴元に没収される。
【００１３】
補足的な支払いは、一定量、ジャックポット、またはジャックポットの一部であってもよい。ジャックポットは累進ジャックポットであってもよい。
【００１４】
本装置は、無作為選択装置を起動するための起動装置を備えてもよい。該起動装置は、使用の際、特別なカードが配られたプレーヤー（「選ばれたプレーヤー」）が無作為選択装置を起動できるように、その選ばれたプレーヤーのところまで持ち運び可能となっていてもよい。該起動装置は、無線によって作動可能となっていてもよい。
【００１５】
無作為選択装置は、回転盤装置であってもよい。無作為選択装置は、現実のものでも、またディスプレイ画面に表示される仮想的なものであってもよい。
【００１６】
無作為選択装置は、複数の段階で作動してもよい。特に、２段階式であって、ある指定された可能性が第１段階で選択された場合に第２段階の作動が可能とされてもよい。第１段階における他の可能性に対しては、無作為選択装置と関連した支払いが行われても、関連しない支払いが行われてもよい。
【発明の効果】
【００１７】
本発明によれば、プレーヤーのゲーム体験が向上し、より楽しめるようになる。
【発明を実施するための最良の形態】
【００１８】
本発明の他の特徴および利点は、添付の図面を参照して以下に詳細に説明する好適な実施例から明らかになろう。
【００１９】
図１は、本発明による、運のゲームを行うための装置を概略的に示す。
【００２０】
図２は、本発明の運のゲームを行うための、ブラックジャック用テーブルの概略的レイアウトである。
【００２１】
まず図１に示すように、本発明の運のゲームを行うための装置は、全体的に符号１０で示される。装置１０は、７人のプレーヤー１４のための７つのステーションを備えたテーブル１２と、無線式起動装置１６と、運の回転盤装置１８とを備える。該ゲームは、数組の通常の遊戯用カードと、１枚の追加的な特別なカード２１とからなる、１セットのカード１９によって行われる。
【００２２】
テーブル１２は、上面に印付けられた付加的な賭け領域を有する通常のブラックジャック用テーブルであり、以下図２を参照して説明される。特別なカード２１はカード１９のセットに加えられ、一緒にシャッフルされる。通常どおりにブラックジャックが行われ、プレーヤー達は、本発明が提供する付加的なゲームに参加したいと望むなら、付加的な賭け領域に付加的な賭け物（「サイドベット」）を置く。カードの手の中に特別なカードが配られなかった場合には、これら全てのサイドベットは胴元に没収される。特別なカード２１が配られたとき、そのプレーヤーがその手にサイドベットしていた場合には、行われている最中のブラックジャックは中断され、特別なカード２１が配られたそのプレーヤーは付加的なゲームを行う。そこで、このプレーヤーに起動装置１６が手渡される。彼は起動装置１６にある起動ボタン２０を押すことにより、運の回転盤装置１８を作動させる。該装置１８は、複数のセグメント２２と、１本のポインター２４を有する。異なる支払い量が様々なセグメント２２に割り当てられるが、１つのセグメント２２．１は第２段階へ行く資格をプレーヤーに与えるようになっている。この第２段階で、当のプレーヤーは再び起動ボタン２０を押し、装置１８は再び作動する。ただし、この第２段階では、複数のセグメントには、ジャックポットまたはジャックポットの一部が割り当てられる。
【００２３】
付加的なゲームが終わると、特別なカード２１は使用済みカードの山に加えられ、中断されていたブラックジャックが続けられる。
【００２４】
次に図２には、テーブル１２のレイアウトが示される。テーブル１２は、７つの通常の主ベッティングボックス２６を有し、それぞれは、それと関連付けられた３つの補足ベッティングボックス２８を有する。既に説明したように、各プレーヤーが主ベッティングボックス２６に賭け物を置いた場合、そのプレーヤーは、その付加ベッティングボックス２８に、１つから３つまでのサイドベットを置くことができる。プレーヤーが賭け物を１つだけ置いた場合、そのプレーヤーに特別なカードが配られたときには、彼は付加的ゲームを行えるチャンスを１回得る。２つ置いた場合は２回、３つ置いた場合は３回のチャンスを得る。これとは別に、他のプレーヤーは、自分のではないステーションにある付加ベッティングボックス２８にサイドベットを置くことができる。その関連プレーヤーステーションに特別なカード２１が配られた場合、当該他のプレーヤーも付加的なゲームを行うチャンスを得る。
【図面の簡単な説明】
【００２５】
【図１】本発明による、運のゲームを行うための装置を概略的に示す図
【図２】本発明の運のゲームを行うための、ブラックジャック用テーブルの概略的レイアウト
【符号の説明】
【００２６】
１０      運のゲームを行うための装置
１２      テーブル
１４      プレーヤー
１６      無線式起動装置
１８      運の回転盤装置
１９      １セットのカード
２０      起動ボタン
２１      特別なカード
２２      様々なセグメント
２２．１  １つのセグメント
２４      ポインター
２６      主ベッティングボックス
２８      付加ベッティングボックス
【図１】
2008104882.tif 000003
【図２】
2008104882.tif 000004